(57)【要約】【課題】コーキングガンを使用することが困難な状況においても、カートリッジに封入された充填剤、鳥類忌避剤等の薬剤を注出することが可能な薬剤注出工具セットを提供すること。【解決手段】薬剤注出工具セット１０は、棒状の押圧部材８１と、他端がカートリッジＣを挿入可能に開放された筒状部３３を有する保持体３１、及び、保持体３１に接続する保持棒６１であって、筒状部３３の中心軸Ａ１と保持棒の長さ方向Ｌ１とが略平行になるように保持体３１に接続する保持棒６１を備えるカートリッジ保持部材２１と、により構成され、筒状部３３は、カートリッジＣの中心軸Ａ２と筒状部３３の中心軸Ａ１とが略一致するようにカートリッジＣを着脱可能に保持することが可能である。【選択図】図１
2008126101.tif 000002
【特許請求の範囲】
【請求項１】
一端が薬剤を封入した円筒状のカートリッジの底部を押圧して、前記カートリッジの先端部から前記薬剤を注出することが可能な棒状の押圧部材と、
前記カートリッジを着脱可能に保持することが可能な略筒状の筒状部であって、前記先端部が貫通可能な開口部が形成された側壁を一端に有し、他端が前記カートリッジを挿入可能に開放された筒状部を有する保持体、及び、前記保持体に接続する保持棒であって、前記筒状部の中心軸と前記保持棒の長さ方向とが略平行になるように前記保持体に接続する保持棒を備えるカートリッジ保持部材と、により構成され、
前記筒状部は、前記カートリッジの中心軸と前記筒状部の中心軸とが略一致するように前記カートリッジを着脱可能に保持することが可能である薬剤注出工具セット。
【請求項２】
前記筒状部は、前記カートリッジの外周面と当接して前記カートリッジを着脱可能に保持することが可能な弾性部材を前記筒状部の内周面に有する請求項１記載の薬剤注出工具セット。
【請求項３】
前記保持棒及び前記押圧部材は、作業者が把持することが可能な把持部を有し、
前記把持部は、少なくとも一部が絶縁体で構成されている請求項１又は２記載の薬剤注出工具セット。
【発明の詳細な説明】
【技術分野】
【０００１】
本発明は、カートリッジに封入された充填剤、鳥類忌避剤等の薬剤を注出することが可能な薬剤注出工具セットに関する。
【背景技術】
【０００２】
従来、例えば、台所まわり、洗面所、浴室、外壁等の目地止めや防水処理に、コーキング剤やシーリング剤等の充填剤が多用されている。
【０００３】
また、カラス、鳩等の鳥類が物理的又は化学的に忌避する成分が含有された鳥類忌避剤が徐々に使用されてきている。例えば、カラスはハンガーのような金属材料を利用して電柱の腕金や送電用の鉄塔等に巣を作ることがある。そのような金属材料が電線や送電線に触れると、広範囲な停電を引き起こす可能性があるため、鳥類忌避剤を電柱の腕金や送電用の鉄塔等に塗布することによって、カラスの営巣を防止している。
【０００４】
ところで、上記充填剤、鳥類忌避剤等の薬剤を効率的かつ容易に注出させるための補助具として、例えば図４に示すような、薬剤が封入されたカートリッジＣをカートリッジホルダー３１１に装着し、カートリッジＣ内に設けられた押圧板Ｃ１を後方から押圧することによって、カートリッジＣの先端に設けられたノズルＣ２から薬剤を注出させるコーキングガン３０１が種々提案されている（特許文献１参照）。
【特許文献１】特開平９年−１５０１０４号公報
【発明の開示】
【発明が解決しようとする課題】
【０００５】
しかしながら、作業者が入って作業することが不可能な狭い場所、例えば、直径の小さい配管の奥に薬剤を注出させたい場合、目標とする場所に薬剤を注出させようとしても、コーキングガン３０１を配管に入れることができない可能性がある。仮に、コーキングガン３０１を配管内に入れることができたとしても、薬剤を注出させたい場所が配管の奥にあり、コーキングガン３０１のノズルＣ２が薬剤を注出させたい場所に届かない可能性がある。
【０００６】
また、従来、鳥類の営巣防止に鳥類忌避剤を電柱の腕金や送電用の鉄塔等に塗布する作業は、作業者が、電気用ゴム手袋を着用し、コーキングガン３０１を直接把持して注出作業を行う直線活線工法で行われていた。しかしながら、直接活線工法は、例えば、コーキングガン３０１の金属部分が電線に接触することによって短絡を起こす場合がある。このため、直接活線工法に替わって、いわゆる、ヤットコと言われるような間接活線工具（補助具）を使用する間接活線工法が行われるようになってきている。しかし、把持部が略Ｃ状であるヤットコのような間接活線工具ではコーキングガン３０１を把持することは困難であり、ましてや、間接活線工具によってコーキングガン３０１を操作して鳥類忌避剤を電柱の腕金や送電用の鉄塔等に注出させることは、熟練者であっても困難であった。
【０００７】
本発明は、上述の課題に鑑みてなされたものであり、コーキングガンを使用することが困難な状況においても、カートリッジに封入された充填剤、鳥類忌避剤等の薬剤を注出することが可能な薬剤注出工具セットを提供することを目的とする。
【課題を解決するための手段】
【０００８】
（１）  一端が薬剤を封入した円筒状のカートリッジの底部を押圧して、前記カートリッジの先端部から前記薬剤を注出することが可能な棒状の押圧部材と、前記カートリッジを着脱可能に保持することが可能な略筒状の筒状部であって、前記先端部が貫通可能な開口部が形成された側壁を一端に有し、他端が前記カートリッジを挿入可能に開放された筒状部を有する保持体、及び、前記保持体に接続する保持棒であって、前記筒状部の中心軸と前記保持棒の長さ方向とが略平行になるように前記保持体に接続する保持棒を備えるカートリッジ保持部材と、により構成され、前記筒状部は、前記カートリッジの中心軸と前記筒状部の中心軸とが略一致するように前記カートリッジを着脱可能に保持することが可能である薬剤注出工具セット。
【０００９】
（１）の発明によれば、保持体は円筒状のカートリッジを保持する略筒状の筒状部を有する。この筒状部は、カートリッジの先端部が貫通可能な開口部が形成された側壁を一端に有し、他端がカートリッジを挿入可能に開放され、カートリッジの中心軸と筒状部の中心軸とが略一致するようにカートリッジを着脱可能に保持する。また、保持棒は、筒状部の中心軸と保持棒の長さ方向とが略平行になるように保持体に接続する。したがって、カートリッジが保持体に保持された場合は、筒状部の中心軸に略一致するカートリッジの中心軸と保持棒の長さ方向とは平行となる。
【００１０】
また、作業者は、カートリッジの中心軸と押圧部材の長さ方向とが略一致するように、すなわち、保持棒の長さ方向と押圧部材の長さ方向とが略平行になるように、カートリッジの底部を押圧部材で押圧することができるので、カートリッジの底部に押圧部材の力が最も作用し、カートリッジより薬剤を注出させることができる。また、保持棒の長さ方向と押圧部材の長さ方向とが略平行になるときは、保持棒と押圧部材との間の距離が最も短くすることができる。したがって、本発明によれば、薬剤注出工具セットの全体の大きさを最も小さくして、カートリッジに封入された薬剤を注出することが可能であるので、カートリッジに封入された薬剤を注出する場所が狭く作業が困難な場所でも、カートリッジに封入された薬剤を注出することができる。
【００１１】
（２）  前記筒状部は、前記カートリッジの外周面と当接して前記カートリッジを着脱可能に保持することが可能な弾性部材を前記筒状部の内周面に有する請求項（１）記載の薬剤注出工具セット。
【００１２】
（２）の発明によれば、筒状部は、カートリッジの外周面と当接してカートリッジを着脱可能に保持することが可能な弾性部材を筒状部の内周面に有する。したがって、カートリッジは保持体により一層保持されて、例えば、カートリッジの先端を上に向けて行う作業でもカートリッジが脱落することがなく作業を行うことができる。
【００１３】
（３）  前記保持棒及び前記押圧部材は、作業者が把持することが可能な把持部を有し、前記把持部は、少なくとも一部が絶縁体で構成されている（１）又は（２）記載の薬剤注出工具セット。
【００１４】
（３）の発明によれば、保持棒及び押圧部材が有する把持部は、少なくとも一部が絶縁体で構成されている。したがって、（２）に記載された薬剤注出工具セットは、間接活線工法に使用する間接活線工具（補助具）として使用することができる。
【発明の効果】
【００１５】
本発明によれば、薬剤注出工具セットの全体の大きさを最も小さくして、カートリッジに封入された薬剤を注出することが可能であるので、カートリッジに封入された薬剤を注出する場所が狭く作業が困難な場所でも、カートリッジに封入された薬剤を注出することができる。
【発明を実施するための最良の形態】
【００１６】
以下、本発明の一例を示す実施形態について、図面に基づいて説明する。
【００１７】
図１は、本発明における薬剤注出工具セットを示す正面図である。図２は、本発明における薬剤注出工具セットを示す部分斜視図である。図３は、本発明における薬剤注出工具セットを使用して配管内に薬剤を注出する方法を説明する図である。
【００１８】
[薬剤注出工具セット]
図１から図３に示すように、薬剤注出工具セット１０は、カートリッジ保持部材２１及び押圧部材８１を備える。
【００１９】
カートリッジ保持部材２１は、保持体３１及び保持棒６１を有する。
【００２０】
ここで、カートリッジＣは、コーキング剤、鳥類忌避剤等の薬剤が封入されている。カートリッジＣは、押圧板Ｃ１を押圧すると先端部であるノズルＣ２から薬剤が注出される構造を有する。
【００２１】
保持体３１は、略筒状の筒状部３３と、筒状部３３の外周面から外側に向けて突出する台形状の突片３５と、を有する。
【００２２】
筒状部３３は、カートリッジＣを着脱自在に保持する部材であり、側壁４１を一端に有し、他端がカートリッジＣを挿入可能に開放されている。また、筒状部３３は、カートリッジＣの中心軸Ａ２と筒状部３３の中心軸Ａ１とが略一致するようにカートリッジＣを着脱可能に保持することが可能に形成されている。
【００２３】
さらに、筒状部３３は、カートリッジＣの外周面Ｃ３と当接してカートリッジＣを着脱可能に保持することが可能な弾性部材３４を筒状部３３の内周面に有する。したがって、カートリッジＣは保持体３１により一層保持されて、例えば、カートリッジＣのノズルＣ２を上に向けて行う作業でもカートリッジＣが脱落することがなく作業を行うことができる。
【００２４】
側壁４１には、筒状部３３の中心軸Ａ１が通過する位置にノズルＣ２が貫通可能な開口部３７が形成されている。つまり、側壁４１に形成されている開口部３７の位置は、筒状部３３の中心軸Ａ１が通過する位置に限定されるのではなく、カートリッジＣのノズルＣ２の位置によって変更してもよい。
【００２５】
突片３５は、保持棒６１の先端部６３に接続する。なお、突片３５は、台形状であるが、台形状に限定されるわけではなく、例えば、矩形状、円弧状、三角形状等の他の形状であってもよい。また、突片３５を設けずに、筒状部３３と先端部６３とが直接接続するようにしてもよい。
【００２６】
保持棒６１は、回転不可能に突片３５に固定された先端部６３、及び、この先端部６３の雌ネジ（図示せず）と螺合する雄ネジ６５ａが一端に形成された棒状の絶縁性部材６５を含む。保持棒６１の先端部６３と保持体３１の突片３５とは、筒状部３３の中心軸Ａ１と保持棒６１の絶縁性部材６５の長さ方向Ｌ１とが略平行になるように接続する。なお、先端部６３と絶縁性部材６５とは螺合するので、絶縁性部材６５の長さを変更することができる。
【００２７】
絶縁性部材６５は、吸湿性の少ないエポキシ樹脂系強化プラスチック（ＦＲＰ）からなる絶縁性筒状体である。絶縁性部材６５には、降雨時対策として所定の間隔で、水切鍔６７及び限界鍔６９とが配設されている。水切鍔６７は降雨時対策として水切りのために配設されている。絶縁性部材６５の一端に形成された雄ネジ６５ａと水切鍔６７との間の表面には、撥水性に優れたチューブ（図示せず）が配設されている。限界鍔６９は、限界鍔６９と絶縁性部材６５の他端との間を作業者が把持することができる把持部として認識するために配設されたもので、水切鍔６７と同様に軟質の合成ゴム製である。
【００２８】
なお、先端部６３は回転不可能に突片３５に固定されているが、回転可能に突片３５に固定されていてもよい。また、先端部６３と絶縁性部材６５とは螺合するのではなく、一体的に形成されていてもよい。
【００２９】
押圧部材８１は、ノズルＣ２から薬剤を注出することが可能な棒状の部材であり、押圧棒８３、及び、この押圧棒８３の一端に接続する押圧ディスク８５を有する。
【００３０】
押圧棒８３は、吸湿性の少ないエポキシ樹脂系強化プラスチック（ＦＲＰ）からなる絶縁性筒状体である。降雨時対策として所定の間隔で、水切鍔８７及び限界鍔８９とが配設されている。水切鍔８７は降雨時対策として水切りのために配設されている。押圧ディスク８５と水切鍔８７との間には、撥水性に優れたチューブ（図示せず）が配設されている。限界鍔８９は、限界鍔８９と押圧棒８３の他端との間を作業者が把持することができる把持部として認識するために配設されたもので、水切鍔８７と同様に軟質の合成ゴム製である。
【００３１】
以上のように、保持棒６１及び押圧棒８３は作業者が把持することができる把持部を有し、絶縁性部材６５及び押圧棒８３は絶縁体で構成されている。したがって、本実施形態に係る薬剤注出工具セット１０は、間接活線工法に使用する間接活線工具（補助具）として使用することができる。
【００３２】
押圧ディスク８５は、押圧棒８３の一端に設けられており、カートリッジＣの押圧板Ｃ１に当接される。
【００３３】
[薬剤注出工具セットの使用方法]
次に、図３を用いて、薬剤注出工具セット１０の使用方法を説明する。
【００３４】
図３に示すように、配管１１０内の奥の領域１１０ａに薬剤を注出する場合、作業者は、ノズルＣ２が領域１１０ａに位置するように、カートリッジＣが保持体３１に保持された薬剤注出工具セット１０を配管１１０内に持ち込む。次に、作業者は、限界鍔６９と絶縁性部材６５の他端との間の把持部、及び、限界鍔８９と押圧棒８３の他端との間の把持部を把持する。次に、作業者は、押圧棒８３がカートリッジＣの押圧板Ｃ１によって押圧されるように、押圧棒８３をカートリッジＣ側に押圧すると、押圧板Ｃ１がノズルＣ２に近づくように、カートリッジＣの内周面上を摺動する。したがって、作業者は、カートリッジＣのノズルＣ２から薬剤を配管１１０内の奥の領域１１０ａに注出させることが可能である。
【００３５】
以上のように、薬剤注出工具セット１０の全体の大きさを最も小さくして、カートリッジＣに封入された薬剤を注出することが可能であるので、薬剤を注出する場所が狭く作業が困難な場所でも、薬剤を注出することができる。
【図面の簡単な説明】
【００３６】
【図１】本発明における薬剤注出工具セットを示す正面図である。
【図２】本発明における薬剤注出工具セットを示す部分斜視図である。
【図３】本発明における薬剤注出工具セットを使用して配管内に薬剤を注出する方法を説明する図である。
【図４】従来のコーキングガンを示す正面図である。
【符号の説明】
【００３７】
１０    薬剤注出工具セット
２１    カートリッジ保持部材
３１    保持体
３３    筒状部
３４    弾性部材
３７    開口部
４１    側壁
６１    保持棒
６３    先端部
６５    絶縁性部材
８１    押圧部材
８３    押圧棒
８５    押圧ディスク
Ａ１    中心軸
Ａ２    中心軸
Ｃ    カートリッジ
Ｃ１    押圧板
Ｃ２    ノズル
Ｃ３    外周面
【図１】
2008126101.tif 000003
【図２】
2008126101.tif 000004
【図３】
2008126101.tif 000005
【図４】
2008126101.tif 000006